(57)【要約】【課題】按摩及び揺れ運動の効果を有する按摩揺れ装置を提供する。【解決手段】カバー台１、駆動機構２、当て蓋台３、及び幾つかの按摩棒４を備える。カバー台１は駆動機構２と接合され、上カバー１２には作動塊２２が作動可能なための溝孔２２１を設けている。駆動機構２は、モーター２１及び作動塊２２を有し、作動塊２２の往復動作を制御可能である。当て蓋台３は、作動塊２２と接合され按摩揺れ装置になっている。按摩棒４は、作動塊２２に設置され、按摩部４１とローラー４３とを設けている。ローラー４３は上カバー１２の上を転がることが可能であり使用者はカバー台１の方向を調整することが可能である。【選択図】　　　図１
0003099021.tif 000002
【実用新案登録請求の範囲】
【請求項１】
カバー台、駆動機構、当て蓋台、及び幾つかの按摩棒からなり、
そのカバー台は、駆動機構と接合しており、上カバーの適当な位置に後述の作動塊の頂き部が貫いて作動可能となるための溝孔を有し、
駆動機構は、モーター、作動塊を有し、作動塊の往復動作を制御することが可能であり、
当て蓋台は、適当な長さを持ち、作動塊と接合しており、頂き部に脛部を載せるための載せ部が設けてあるので揺れ運動の効果が提供可能であり、
作動塊の頂き部の適当な個所に按摩棒が設置してあり、按摩棒はその適当な個所に按摩部を有し、且つ適当な個所にローラーを有しており、そのローラーは上カバーの上を転がることが可能であるために使用者は自分のニーズに応じてカバー台の方向を調整することが可能であり、且つ脛部、足底またはその他の適当な位置を按摩棒の按摩部に載せることが可能であり、モーターを起動して作動塊を動かすと按摩棒を往復動作に対応させて按摩するようになることが可能であることにより揺れ運動及び往復按摩の効果を持つようになり、按摩棒が動き出すとそのローラーは上カバーの上を転がることが可能であるので按摩棒の支持性及び安定性が促進可能であることを特徴とする按摩揺れ装置。
【請求項２】
カバー台、駆動機構、及び幾つかの按摩棒からなり、
そのカバー台は、駆動機構と接合しており、上カバーの適当な位置に後述の作動塊の頂き部が貫いて作動可能であるための溝孔を有しており、
駆動機構は、モーター、作動塊を有し、作動塊の往復動作を制御することが可能であり、
作動塊の頂き部の適当な個所に按摩棒が設置してあり、按摩棒はその適当な個所に按摩部を有し、且つ適当な個所にローラーを有しており、そのローラーは上カバーの上を転がることが可能となるために使用者は自分のニーズに応じてカバー台の方向を調整することが可能であり、且つ人体の適当な位置を按摩棒の按摩部に載せることが可能であり、モーターを起動して作動塊を動かすと按摩棒を往復動作に対応させて按摩するようになることが可能であることにより往復按摩の効果を持つようになり、按摩棒が動き出すとそのローラーは上カバーの上を転がることが可能であるので按摩棒の支持性及び安定性が促進可能であることを特徴とする按摩揺れ装置。
【考案の詳細な説明】
【０００１】
【考案の属する技術分野】
本考案は按摩揺れ装置に関するものである。
【０００２】
【従来の技術】
従来知られた揺れ機は一般的に人体の脛部に揺れの動作を協力することしかできず、それ自身が按摩の機能を持っていないために使用の効果があまり理想的ではなかった。
【０００３】
【考案が解決しようとする課題】
この考案の主な目的は、按摩及び揺れ運動を兼ねて持つような効果を有する按摩揺れ装置を提供することにある。
この考案の他の目的は、按摩棒の支持性及び安定性を促進することができる按摩揺れ装置を提供することにある。
【０００４】
【課題を解決するための手段】
カバー台、駆動機構、当て蓋台、及び幾つかの按摩棒からなるものによって、且そのカバー台のベースに駆動構造を設けている。上カバーの適当な位置に後述の作動塊の頂き部が貫通して作動するための溝孔を設けている。駆動機構にモーター、歯車、作動塊があり、且つそのモーターにボルトがあり、且そのボルトは歯車と連動になり、又その歯車と連動する軸棒にエキセントリックホイールを設け、そのエキセントリックホイールに作動棒がある。作動塊とはエキセントリックホイールの作動棒を貫通するための溝孔があるものであり、且軸棒との接合によって作動塊の作動方向を定位させるためにモーターが回転すると作動塊がエキセントリックホイールに連れられて往復の動作をすることができ、又作動塊の頂き部の適当な個所に当て蓋台、按摩棒を組み合わせるための接合孔を設けている。
【０００５】
当て蓋台とは適当な長さを持つものであり、且作動塊の頂き部と接合になって、又頂き部には脛部を載せるための載せ部を設けて、且適当な個所にハンドル部を設けている。按摩棒とは作動塊の頂き部にある接合孔を貫通してから作動塊と接合するするように貫いて組み設けるものであり、且両端に按摩部を設けて、且按摩部の外縁に幾つかの按摩突出部を設けて、又按摩棒の端部の適当な個所にローラーを設け、且そのローラーとは上カバーの上を転がることができるものであるために使用者は脛部を当て蓋台の載せ部に載せてからモーターを起動して作動塊が動き出すと揺れ運動ができるし、又使用者の脛部、足底またはその他の適当な位置を按摩棒の按摩部に載せることもでき、且モーターを起動して作動塊が動き出すと按摩棒が往復動作に対応して按摩するようになるために按摩及び揺れ運動を兼ねて持つような効果を有し、按摩棒が動作するとそのローラーが上カバーの上を転がるようになるために按摩棒の支持性及び安定性を促進することができる。
【０００６】
【考案の実施の形態】
図１、２を参考にしてください。本考案の実施例ではカバー台１、駆動機構２、当て蓋台３、幾つかの按摩棒４からなり、且そのカバー台１はベース１１の上に駆動機構２を設けている。上カバー１２の適当な位置に作動塊２２の頂き部が貫通して作動するための溝孔１２１を設けている。
【０００７】
駆動機構２にモーター２１、作動塊２２があり、且そのモーター２１はベース１１に固着されていて、且モーター２１の回転速度及び後述の作動塊２２の動作の速さを調整するためにスピード調整装置（図の中に示されていないが）を別に付け加えることもでき、前端にボルト２１１を設けて、且そのボルト２１１は減速歯車２１２と連動になり、且その減速歯車２１２が運動する軸棒２１３にエキセントリックホイール２１４が固着されて、且そのエキセントリックホイール２１４に作動棒２１５がある。作動塊２２にはエキセントリックホイール２１４の作動棒２１５が貫くための溝孔２２１があり、且軸棒２２２と接合して作動塊２２の作動方向を定位するためにモーター２１が回転するとボルト２１１によって歯車２１２を連れて回転させることができ、また歯車２１２の歯数の設計によって減速効果を持たせることもでき、且駆動のトルクを提供することもできる。その歯車２１２が回転すると軸棒２１３及びエキセントリックホイール２１４を連れて回転させることができるために、作動塊２２はエキセントリックホイール２１４によって往復動作ができる。作動塊２２の頂き部の適当な個所に当て蓋台３、按摩棒４を組み合わせるための接合孔２２３を設けている。
【０００８】
当て蓋台３は適当な長さを持って、且接合孔３１があり、且按摩棒４を貫いて作動塊２２の頂き部と接合になり、又頂き部に脛部を載せるための載せ部３２を設けて、且適当な個所にハンドル３３を設けている。
按摩棒４は作動塊２２の頂き部の接合孔２２３を貫いてから作動塊２２と接合になり、且両端に按摩部４１を被せて設けて、且按摩部４１の外縁に幾つかの按摩突出部４２を設けて、又按摩棒４の端部の適当な個所にローラー４３を設けて、そのローラー４３が上カバー１２の上を転がることができる。
【０００９】
図３、４を参考にしてください。本実施例を実施する時、使用者は脛部を按摩棒４の按摩部４１に載せることができ、且モーター２１を起動して作動塊２２が動き出すと（図の中に示されていないが）按摩棒４が往復動作に対応して按摩するようになり、且按摩棒４がスピーディに往復して脛部に按摩の動作を与えるようになり、且その円筒状の按摩部４１は脛部の彎曲度に応じて脛部に合わせることができるために確実に按摩する効果を持つようになる。按摩棒４は動作するとそのローラー４３が上カバー１２の上を転がることができ、且按摩棒４の支持性及び安定性が促進でき、且按摩棒４は脛部の重量を支えるために彎曲して変形するようなことを防止できる。
【００１０】
本考案のもう一つの実施例は図５のようになり、使用者は足底を按摩棒４の按摩部４１に載せて、且その円筒状の按摩部４１が足の底の彎曲度に応じて足底に合わせることができるために按摩棒４の往復によって足底に確実な按摩を与えることができる。
本考案のもう一つの実施例は図６のように、カバー台１を９０°に回転させて使用者は脛部を当て蓋台３の載せ部３２に載せてモーター２１を起動して作動塊２２が動き出すと（図の中に示されていないが）当て蓋台３及び脛部を往復させて揺れるようになるために運動の効果を齎して、又使用者はハンドル３３があるために携帯にも便利になる。
【００１１】
本考案のもう一つの実施例では図７に示されたように、上カバー５の上において按摩棒６のローラー６１と対応する位置に案内レール５１を設けることによってよりよい支持性及び安定性が促進できる。
また図８、９に示されたように、本考案の更にもう一つの実施例では作動塊７に按摩棒６を設けるだけで、且上カバー５において按摩棒６と対応するローラー６１の位置に案内レール５１を設けるために按摩棒６の按摩部６２は前後に揺れることができ、それによって直接人体の背中またはその他の適当な部位に按摩をかける。
【図面の簡単な説明】
【図１】本考案の実施例による按摩揺れ装置を示す分解概略図である。
【図２】本考案の実施例による按摩揺れ装置を示す斜視図である。
【図３】本考案の実施例による按摩揺れ装置の按摩棒に脛部を載せている状態を示す概略図である。
【図４】本考案の実施例による按摩揺れ装置で脛部に対して按摩している状態を示す概略図である。
【図５】本考案のもう一つの実施例による按摩揺れ装置で足の底に対して按摩している状態を示す概略図である。
【図６】本考案のもう一つの実施例による按摩揺れ装置の揺れ運動を示す概略図である。
【図７】本考案のもう一つの実施例による按摩揺れ装置を示す概略図である。
【図８】本考案のもう一つの実施例による按摩揺れ装置を示す概略図である。
【図９】本考案のもう一つの実施例による按摩揺れ装置で按摩している状態を示す概略図である。
【符号の説明】
１　　カバー台
１１　　ベース
１２　　上カバー
１２１　　溝孔
２　　駆動機構
２１　　モーター
２１１　　ボルト
２１２　　歯車
２１３　　軸棒
２１４　　エキセントリックホイール
２１５　　作動棒
２２　　作動塊
２２１　　溝孔
２２２　　軸棒
２２３　　接合孔
３　　当て蓋台
３１　　接合孔
３２　　載せ部
３３　　ハンドル
４　　按摩棒
４１　　按摩部
４２　　突出部
４３　　ローラー
５　　上カバー
５１　　案内レール
６　　按摩棒
６１　　ローラー
６２　　按摩部
７　　作動塊
【図１】
0003099021.tif 000003
【図２】
0003099021.tif 000004
【図３】
0003099021.tif 000005
【図４】
0003099021.tif 000006
【図５】
0003099021.tif 000007
【図６】
0003099021.tif 000008
【図７】
0003099021.tif 000009
【図８】
0003099021.tif 000010
【図９】
0003099021.tif 000011